(57)【要約】【課題】現場でのベッドボードの組み付け作業に要する労力負担を従来より軽減し得る車両用ベッド構造を提供する。【解決手段】トラックのキャブ内の座席後方で立ち上がって段差を成す上段フロア１の上面にベッドボード２を載置し且つ該ベッドボード２の前方部分を上段フロア１の上面から前方に迫り出させて就寝スペースを拡張した車両用ベッド構造に関し、上段フロア１の上面前端の車幅方向複数箇所にベッドボード２の前方部分を局所的に支えるブラケット５，６が設置され、ベッドボード２の前方下面に各ブラケット５，６の相互間を橋渡しする剛性板材７，８，９が装着され、少なくとも一部の剛性板材８に掛止してベッドボード２を位置決めする掛止部として樹脂製のクリップ１０が少なくとも一部のブラケット５の上面に備えられた構造を採用する。【選択図】図１
2018043685.tif 000002
【特許請求の範囲】
【請求項１】
トラックのキャブ内の座席後方で立ち上がって段差を成す上段フロアの上面にベッドボードを載置し且つ該ベッドボードの前方部分を前記上段フロアの上面から前方に迫り出させて就寝スペースを拡張した車両用ベッド構造であって、前記上段フロアの上面前端の車幅方向複数箇所に前記ベッドボードの前方部分を局所的に支えるブラケットが設置され、前記ベッドボードの前方下面に前記各ブラケットの相互間を橋渡しする剛性板材が装着され、該剛性板材に掛止して前記ベッドボードを位置決めする掛止部が少なくとも一部のブラケットに備えられていることを特徴とする車両用ベッド構造。
【請求項２】
剛性板材が車幅方向に複数に分割されていると共に、少なくとも車幅方向中央の剛性板材の前端に切欠部が形成され且つ該切欠部に対し少なくとも一部のブラケット側から掛止部が掛止し得るよう構成されていることを特徴とする請求項１に記載の車両用ベッド構造。
【請求項３】
掛止部がブラケットの上面に着脱自在に取り付けられたクリップにより構成されていることを特徴とする請求項１又は２に記載の車両用ベッド構造。
【請求項４】
剛性板材が硬質ウレタンフォームを超硬鋼板で挟持した構造を有していることを特徴とする請求項１、２又は３に記載の車両用ベッド構造。
【発明の詳細な説明】
【技術分野】
【０００１】
本発明は、トラックのキャブ内における座席後方に備えられる車両用ベッド構造に関するものである。
【背景技術】
【０００２】
従来、大型や中型のトラックにおいては、長距離の運行に備えて仮眠用のベッドをキャブ内に設けたものがあり、図６に示す如く、この種のベッドは、乗員の座席後方で立ち上がって段差を成す上段フロア１の上面にベッドボード２を載置した構造となっているが、キャブ内の空間は居住性を高める観点から極力広く保ちたいという要望がある一方、ベッドについては寝心地が良くなるよう極力広くしたいという要望があるため、折衷案としてベッドボード２の前方部分を上段フロア１の上面から前方に迫り出させ、これにより就寝スペースを上段フロア１の上面よりも広く確保するようにした構造が採用されている。
【０００３】
このようにベッドボード２の前方部分を上段フロア１の上面から迫り出させた構造を採用するにあたり、前記ベッドボード２の前方部分における強度を補うため、上段フロア１の上面前端にブラケット３を介し左右一対のサポートパイプ４を架設し、該各サポートパイプ４によりベッドボード２の前方部分を下から支えるようにしており、更には、これら各サポートパイプ４がベッドボード２の前方下面の図示しない段差部と掛止することでベッドボード２を前方にずれないように位置決めしている。
【０００４】
ここで、上段フロア１の一部には消火器等を収容する物入れ空間が形成されていることが多く、また、座席後方の狭い空間でベッドボード２を上段フロア１側に固定する作業自体も困難であるため、前記物入れ空間への収容物の出し入れや前記ベッドボード２の組み付け作業を容易化する観点から前記ベッドボード２を上段フロア１に固定しないまま載置する形式が一般的に採用されている。
【０００５】
尚、前述の如き車両用ベッド構造に関連する先行技術文献情報としては、例えば下記の特許文献１等が既に存在している。
【先行技術文献】
【特許文献】
【０００６】
【特許文献１】特開２００３−１９０５９号公報
【発明の概要】
【発明が解決しようとする課題】
【０００７】
しかしながら、斯かる従来構造にあっては、上段フロア１にブラケット３を介して各サポートパイプ４を架設する作業に手間がかかり、現場でのベッドボード２の組み付け作業に要する労力負担が大きいという問題があった。
【０００８】
本発明は上述の実情に鑑みてなしたもので、現場でのベッドボードの組み付け作業に要する労力負担を従来より軽減し得る車両用ベッド構造を提供することを目的とする。
【課題を解決するための手段】
【０００９】
本発明は、トラックのキャブ内の座席後方で立ち上がって段差を成す上段フロアの上面にベッドボードを載置し且つ該ベッドボードの前方部分を前記上段フロアの上面から前方に迫り出させて就寝スペースを拡張した車両用ベッド構造であって、前記上段フロアの上面前端の車幅方向複数箇所に前記ベッドボードの前方部分を局所的に支えるブラケットが設置され、前記ベッドボードの前方下面に前記各ブラケットの相互間を橋渡しする剛性板材が装着され、該剛性板材に掛止して前記ベッドボードを位置決めする掛止部が少なくとも一部のブラケットに備えられていることを特徴とするものである。
【００１０】
而して、このようにすれば、ベッドボードの前方下面に装着された剛性板材により各ブラケットの相互間が橋渡しされて補強されるので、従来の如きサポートパイプを不要としてもベッドボードの上面からの荷重に強固に耐えられる構造となり、しかも、各ブラケットに備えた掛止部を剛性板材に掛止して位置決めを図ることでベッドボードの前方へのずれが確実に防止されることになる。
【００１１】
更に、本発明においては、剛性板材が車幅方向に複数に分割されていると共に、少なくとも車幅方向中央の剛性板材の前端に切欠部が形成され且つ該切欠部に対し少なくとも一部のブラケット側から掛止部が掛止し得るよう構成されていることが好ましい。
【００１２】
このようにすれば、車型違いにより車幅が変わっても車幅方向両端の剛性板材を変更して対応することが可能となるので、残りの剛性板材を共用して部品点数を減らすことが可能となり、しかも、ベッドボードの裏側の隠れた位置で剛性板材の切欠部に掛止部を掛止させることで見映えが悪くならなくて済む。
【００１３】
また、本発明においては、掛止部がブラケットの上面に着脱自在に取り付けられたクリップにより構成されていることが好ましく、このようにすれば、クリップをブラケットの係合穴等に差し込むだけで簡便に装着することが可能となる。
【００１４】
更に、本発明においては、剛性板材が硬質ウレタンフォームを超硬鋼板で挟持した構造を有していることが好ましく、このようにすれば、薄くて軽い剛性板材を容易に実現することが可能となる。
【発明の効果】
【００１５】
上記した本発明の車両用ベッド構造によれば、下記の如き種々の優れた効果を奏し得る。
【００１６】
（Ｉ）本発明の請求項１に記載の発明によれば、上段フロアの上面から前方に迫り出すベッドボードの前方部分を剛性板材により補強することができ、しかも、ベッドボードを掛止部により確実に位置決めして前方へのずれを防止することもできるので、従来の如きサポートパイプを架設する作業を不要として、ブラケットの設置作業の後にベッドボードを載置するという極めて簡単な工程だけで現場でのベッドボードの組み付け作業を完了することができ、斯かる現場作業に要する労力負担を従来より大幅に軽減することができる。
【００１７】
（ＩＩ）本発明の請求項２に記載の発明によれば、車型違いにより車幅が変わっても車幅方向両端の剛性板材を変更して対応することができ、残りの剛性板材を共用して部品点数を減らすことでコストの削減を図ることができ、しかも、ベッドボードの裏側の隠れた位置で剛性板材の切欠部に掛止部を掛止させることで見映えの悪化を未然に回避することができる。
【００１８】
（ＩＩＩ）本発明の請求項３に記載の発明によれば、クリップをブラケットの係合穴等に差し込むだけで簡便に装着することができるので、現場作業の手間を更に省くことができて労力負担の更なる軽減を図ることができる。
【００１９】
（ＩＶ）本発明の請求項４に記載の発明によれば、薄くて軽い剛性板材を容易に実現することができ、剛性板材を装着することによるベッドボードの厚みや重量の無用な増加を未然に回避することができる。
【図面の簡単な説明】
【００２０】
【図１】本発明を実施する形態の一例を示す斜視図である。
【図２】図１のクリップが備えられるブラケットの詳細を示す単品図である。
【図３】図１のクリップを備えないブラケットの詳細を示す単品図である。
【図４】図１のクリップと剛性板材との掛止箇所に関する拡大図である。
【図５】図１のクリップの詳細を示す単品図である。
【図６】従来例を示す斜視図である。
【発明を実施するための形態】
【００２１】
以下、本発明の実施の形態を図面を参照しつつ説明する。
【００２２】
図１〜図５は本発明を実施する形態の一例を示すもので、図６と同一の符号を付した部分は同一物を表わしている。
【００２３】
図１に示す如く、本形態例においては、先に図６で説明した従来構造の場合と同様に、トラックのキャブ内の座席後方で立ち上がって段差を成す上段フロア１の上面にベッドボード２を載置し且つ該ベッドボード２の前方部分を前記上段フロア１の上面から前方に迫り出させて就寝スペースを拡張した車両用ベッド構造となっているが、前記上段フロア１の上面前端の車幅方向複数箇所に前記ベッドボード２の前方部分を局所的に支えるブラケット５，６（図２及び図３参照）が設置され、前記ベッドボード２の前方下面に前記各ブラケット５，６の相互間を橋渡しする剛性板材７，８，９が装着され、少なくとも一部の剛性板材８に掛止して前記ベッドボード２を位置決めする掛止部として樹脂製のクリップ１０が少なくとも一部のブラケット５の上面に備えられているところが特徴となっている。
【００２４】
即ち、ここに図示している例の場合、剛性板材７，８，９が車幅方向に三つに分割されている一方、上段フロア１の上面前端の車幅方向四箇所にブラケット５，６が設置されており、中央寄りの二つのブラケット５における上面にだけ係合穴５ａを介してクリップ１０が装着され、該各クリップ１０が中央の剛性板材８の前端両側に形成されている切欠部１１（図１及び図４参照）に対し嵌まり込んでベッドボード２の前方への移動を規制するようにしてある。
【００２５】
ここで、前記クリップ１０は既存の樹脂部品として汎用されているクリップ止めの機構を持つもので、例えば、図５に単品図で示している通り、前記剛性板材８の切欠部１１に嵌まり込むヘッド部１２と、前記係合穴５ａに差し込まれる嵌挿部１３と、該嵌挿部１３を前記係合穴５ａに差し込んだ時に撓んで窄まり且つ係合穴５ａの裏側へ抜け出た時に復元して該係合穴５ａの縁に係止される係止爪部１４（図５中には片側の係止爪部だけが図示されているが該係止爪部は左右対称に形成されている）とを備えた一体成形の樹脂部品となっている。
【００２６】
また、前記剛性板材７，８，９には、例えば硬質ウレタンフォームを超硬鋼板で挟持した構造のものを採用すれば良く、このような剛性板材７，８，９を採用すれば、薄くて軽い剛性板材７，８，９を容易に実現することが可能である。
【００２７】
而して、以上のように車両用ベッド構造を構成すれば、ベッドボード２の前方下面に装着された剛性板材７，８，９により各ブラケット５，６の相互間が橋渡しされて補強されるので、従来の如きサポートパイプを不要としてもベッドボード２の上面からの荷重に強固に耐えられる構造となり、しかも、中央寄りの二つのブラケット５に備えたクリップ１０を中央の剛性板材８に掛止して位置決めを図ることでベッドボード２の前方へのずれが確実に防止されることになる。
【００２８】
従って、上記形態例によれば、上段フロア１の上面から前方に迫り出すベッドボード２の前方部分を剛性板材７，８，９により補強することができ、しかも、ベッドボード２をクリップ１０により確実に位置決めして前方へのずれを防止することもできるので、従来の如きサポートパイプを架設する作業を不要として、ブラケット５，６の設置作業の後にベッドボード２を載置するという極めて簡単な工程だけで現場でのベッドボード２の組み付け作業を完了することができ、斯かる現場作業に要する労力負担を従来より大幅に軽減することができる。
【００２９】
更に、本形態例においては、剛性板材７，８，９が車幅方向に三つに分割されていると共に、車幅方向中央の剛性板材８の前端両側に切欠部１１が形成され且つ該各切欠部１１に中央寄りの二つのブラケット５からクリップ１０が掛止し得るよう構成されているので、車型違いにより車幅が変わっても車幅方向両端の剛性板材７，９を変更して対応することができ、中央の剛性板材８を共用して部品点数を減らすことでコストの削減を図ることができ、しかも、ベッドボード２の裏側の隠れた位置で剛性板材８の切欠部１１にクリップ１０を掛止させることで見映えの悪化を未然に回避することもできる。
【００３０】
また、本形態例においては、掛止部がブラケット５の上面に着脱自在に取り付けられたクリップ１０により構成されているので、クリップ１０を中央寄りの二つのブラケット５の係合穴５ａに差し込むだけで簡便に装着することができ、現場作業の手間を更に省くことができて労力負担の更なる軽減を図ることができる。
【００３１】
更に、本形態例においては、剛性板材７，８，９が硬質ウレタンフォームを超硬鋼板で挟持した構造を有しているので、薄くて軽い剛性板材７，８，９を容易に実現することができ、剛性板材７，８，９を装着することによるベッドボード２の厚みや重量の無用な増加を未然に回避することができる。
【００３２】
尚、本発明の車両用ベッド構造は、上述の形態例にのみ限定されるものではなく、図示例では掛止部を別部品のクリップにより構成した例で説明したが、ブラケット自体の形状を工夫して剛性板材に対し掛止可能な段差部等を前記ブラケットに一体的に形成して掛止部とすることも可能であること、その他、本発明の要旨を逸脱しない範囲内において種々変更を加え得ることは勿論である。
【符号の説明】
【００３３】
１      上段フロア
２      ベッドボード
５      ブラケット
６      ブラケット
７      剛性板材
８      剛性板材
９      剛性板材
１０    クリップ（掛止部）
１１    切欠部
【図１】
2018043685.tif 000003
【図２】
2018043685.tif 000004
【図３】
2018043685.tif 000005
【図４】
2018043685.tif 000006
【図５】
2018043685.tif 000007
【図６】
2018043685.tif 000008